(57)【要約】【課題】接続されたアンテナの受信方向が制御可能なＴＶ放送信号受信装置において、ＴＶ放送信号を最も状態良く受信できるアンテナの方向（最適受信方向）の更新が許可されたチャンネルについてのみ最適受信方向の更新を行って、最適受信方向の更新が禁止されたチャンネルについては、既に記憶されている最適受信方向を保護することができるようにする。【解決手段】ＴＶ放送信号受信装置は、放送局から配信される各チャンネルのチャンネル番号５１、これら各チャンネルを受信する際のアンテナの最適受信方向５２、及びこれら各チャンネルについて最適受信方向５２の更新が禁止されているか否かを示す受信方向保護情報５４を含むチャンネル情報テーブル５０を記憶し、チャンネル情報テーブル５０に記憶されている受信方向保護情報５４に基づいて、最適受信方向５２の更新が禁止されているチャンネルについて、最適受信方向５２の更新を禁止する。【選択図】  図３
2006067206.tif 000002
【特許請求の範囲】
【請求項１】
予め定められている複数の受信方向を有する多指向性アンテナが接続され、前記複数の受信方向のうちのいずれか１つの受信方向のみを有効にして、放送局から各チャンネルで配信されるテレビジョン放送信号を受信するテレビジョン放送信号受信装置において、
前記多指向性アンテナが接続され、テレビジョン放送信号の受信を行う受信手段と、
前記受信手段に対して選局するチャンネルを指示するためのチャンネル制御信号を出力すると共に、前記多指向性アンテナに対してテレビジョン放送信号を受信する際の受信方向を指示するための受信方向制御信号を出力することによりテレビジョン放送信号の受信動作を制御する受信制御手段と、
放送局から配信される各チャンネルのチャンネル番号、これら各チャンネルを受信する際の前記多指向性アンテナの最適受信方向、これら各チャンネルが選局可能なチャンネルとして登録されているか否かを示す登録チャンネル情報、及びこれら各チャンネルについて前記最適受信方向の更新が禁止されているか否かを示す受信方向保護情報を含み、ユーザによって指定されたチャンネルを選局する際に利用されるチャンネル情報テーブルを記憶するチャンネル情報テーブル記憶手段と、
前記放送局から配信される任意の１チャンネルについて、前記受信制御手段により前記多指向性アンテナの全ての受信方向を順次指示して、前記受信手段によりテレビジョン放送信号を受信することにより、受信したテレビジョン放送信号の受信レベルに基づいて前記最適受信方向及び前記登録チャンネル情報を決定し、前記チャンネル情報テーブルの内容を更新するスキャン手段と、
前記スキャン手段による処理を繰り返すことにより、前記放送局から配信される全てのチャンネルについて、前記最適受信方向及び前記登録チャンネル情報を決定し、前記チャンネル情報テーブルの内容を更新する全域スキャン手段と、
前記受信手段により受信したテレビジョン放送信号の受信レベルが所定値以下になった状態が、所定時間だけ継続したときに、前記スキャン手段による処理を実行して、前記チャンネル情報テーブルの内容を更新するノーシグナル時スキャン手段と、
任意のチャンネルについて、前記受信方向保護情報をユーザに設定させるための保護情報設定手段と、
前記チャンネル情報テーブルに記憶された前記受信方向保護情報に基づいて前記最適受信方向の更新が禁止されているチャンネルについて、前記スキャン手段による前記最適受信方向の更新を禁止する受信方向更新禁止手段と、
を備えたことを特徴とするテレビジョン放送信号受信装置。
【請求項２】
予め定められている複数の受信方向を有する多指向性アンテナが接続され、前記複数の受信方向のうちのいずれか１つの受信方向のみを有効にして、放送局から各チャンネルで配信されるテレビジョン放送信号を受信するテレビジョン放送信号受信装置において、
前記多指向性アンテナが接続され、テレビジョン放送信号の受信を行う受信手段と、
前記受信手段に対して選局するチャンネルを指示するためのチャンネル制御信号を出力すると共に、前記多指向性アンテナに対してテレビジョン放送信号を受信する際の受信方向を指示するための受信方向制御信号を出力することによりテレビジョン放送信号の受信動作を制御する受信制御手段と、
放送局から配信される各チャンネルのチャンネル番号、これら各チャンネルを受信する際の前記多指向性アンテナの最適受信方向、及びこれら各チャンネルについて前記最適受信方向の更新が禁止されているか否かを示す受信方向保護情報を含み、ユーザによって指定されたチャンネルを選局する際に利用されるチャンネル情報テーブルを記憶するチャンネル情報テーブル記憶手段と、
前記放送局から配信される任意の１チャンネルについて、前記受信制御手段により前記多指向性アンテナの全ての受信方向を順次指示して、前記受信手段によりテレビジョン放送信号を受信することにより、受信したテレビジョン放送信号の受信レベルに基づいて前記最適受信方向を決定し、前記チャンネル情報テーブルの内容を更新するスキャン手段と、
前記チャンネル情報テーブルに記憶された前記受信方向保護情報に基づいて前記最適受信方向の更新が禁止されているチャンネルについて、前記スキャン手段による前記最適受信方向の更新を禁止する受信方向更新禁止手段と、
を備えたことを特徴とするテレビジョン放送信号受信装置。
【請求項３】
任意のチャンネルについて、前記受信方向保護情報をユーザに設定させるための保護情報設定手段を備えたことを特徴とする請求項２に記載のテレビジョン放送信号受信装置。
【発明の詳細な説明】
【技術分野】
【０００１】
本発明は、接続されたアンテナの受信方向が制御可能なテレビジョン放送信号受信装置に関する。
【背景技術】
【０００２】
従来から、地上波を受信するために、八木アンテナ等の指向性アンテナが使用されている。このような指向性アンテナは、強い指向性により弱い電波でも拾うことができる一方、特定方向からの電波しか拾うことができないという欠点がある。このような八木アンテナの特性は、電波塔が一箇所に集中している日本等においてはあまり問題にならないが、米国等においては、都市部を囲むように電波塔が分布している地域も多く、八木アンテナのような指向性アンテナを利用した場合、送信塔からの距離が近くても受信できない局が多数存在するケースがあった。このため、このような問題を解決すべく、アンテナの受信方向を変更できるように、テレビジョン放送信号受信装置からアンテナをコントロールする規格、ＥＩＡ−９０９”Ａｎｔｅｎｎａ  Ｃｏｎｔｒｏｌ  Ｉｎｔｅｒｆａｃｅ”が制定された。これは、テレビジョン放送信号受信装置に、通称スマートアンテナと呼ばれる受信方向を変更できるアンテナ（以下、このように受信方向を変更できるアンテナを多指向性アンテナという）を接続し、これをテレビジョン放送信号受信装置側からモジュラ端子を介して制御するための規格である。
【０００３】
なお、アンテナの最適受信制御を行う装置として、例えば、特許文献１乃至特許文献３に記載される装置が知られている。特許文献１に記載される装置は、アンテナの設置位置に関する情報及び放送衛星の静止軌道位置の情報に基づいて、複数の放送衛星に対して選局チャンネルに応じて自動的に最適な受信方向にアンテナを制御する装置であり、特許文献２に記載される装置は、衛星の方位データ及びアンテナの向いている方向に基づいて、目標とする衛星の方角にアンテナを制御する装置である。
【特許文献１】特開２０００−６８８７７号公報
【特許文献２】特開平７−２６３９３８号公報
【特許文献３】特開平１１−２５１９９６号公報
【発明の開示】
【発明が解決しようとする課題】
【０００４】
ところで、上述したような多指向性アンテナが接続されるテレビジョン放送信号受信装置においては、多指向性アンテナの全ての受信方向を順次指示して、各受信方向で受信したテレビジョン放送信号の受信レベル等に基づいて、テレビジョン放送信号を最も状態良く受信できるアンテナの方向（以下、最適受信方向という）を自動的に決定、更新するスキャン機能を備えたものも存在する。一方、所定方向から配信されるチャンネルについて一時的な電波障害により受信状態が悪化している場合や、ユーザがマニュアルで最適受信方向を設定したチャンネルについて最適受信方向を更新させたくない場合など、チャンネルによっては、スキャン機能に基づく処理により最適受信方向を自動的に更新することが適当でない場合がある。しかしながら、従来のスキャン機能を備えたテレビジョン放送信号受信装置においては、スキャン機能に基づく処理による最適受信方向の更新を許可するチャンネルと、最適受信方向の更新を禁止するチャンネルを任意に設定することができなかった。このため、ユーザが最適受信方向の更新を希望しないチャンネルについてまでもスキャン機能に基づく処理により最適受信方向が更新される場合があり、装置の使い勝手があまりよくなかった。なお、上述した特許文献１乃至特許文献３に開示の内容を適用したとしても、上述した問題を解決することはできない。
【０００５】
本発明は、上記の問題を解決するためになされたものであり、最適受信方向の更新が許可されたチャンネルについてのみ最適受信方向の更新を自動的に行って、最適受信方向の更新が禁止されたチャンネルについては、既に記憶されている最適受信方向を保護することができるテレビジョン放送信号受信装置を提供することを目的とする。
【課題を解決するための手段】
【０００６】
上記目的を達成するために請求項１の発明は、予め定められている複数の受信方向を有する多指向性アンテナが接続され、前記複数の受信方向のうちのいずれか１つの受信方向のみを有効にして、放送局から各チャンネルで配信されるテレビジョン放送信号を受信するテレビジョン放送信号受信装置において、前記多指向性アンテナが接続され、テレビジョン放送信号の受信を行う受信手段と、前記受信手段に対して選局するチャンネルを指示するためのチャンネル制御信号を出力すると共に、前記多指向性アンテナに対してテレビジョン放送信号を受信する際の受信方向を指示するための受信方向制御信号を出力することによりテレビジョン放送信号の受信動作を制御する受信制御手段と、放送局から配信される各チャンネルのチャンネル番号、これら各チャンネルを受信する際の前記多指向性アンテナの最適受信方向、これら各チャンネルが選局可能なチャンネルとして登録されているか否かを示す登録チャンネル情報、及びこれら各チャンネルについて前記最適受信方向の更新が禁止されているか否かを示す受信方向保護情報を含み、ユーザによって指定されたチャンネルを選局する際に利用されるチャンネル情報テーブルを記憶するチャンネル情報テーブル記憶手段と、前記放送局から配信される任意の１チャンネルについて、前記受信制御手段により前記多指向性アンテナの全ての受信方向を順次指示して、前記受信手段によりテレビジョン放送信号を受信することにより、受信したテレビジョン放送信号の受信レベルに基づいて前記最適受信方向及び前記登録チャンネル情報を決定し、前記チャンネル情報テーブルの内容を更新するスキャン手段と、前記スキャン手段による処理を繰り返すことにより、前記放送局から配信される全てのチャンネルについて、前記最適受信方向及び前記登録チャンネル情報を決定し、前記チャンネル情報テーブルの内容を更新する全域スキャン手段と、前記受信手段により受信したテレビジョン放送信号の受信レベルが所定値以下になった状態が、所定時間だけ継続したときに、前記スキャン手段による処理を実行して、前記チャンネル情報テーブルの内容を更新するノーシグナル時スキャン手段と、任意のチャンネルについて、前記受信方向保護情報をユーザに設定させるための保護情報設定手段と、前記チャンネル情報テーブルに記憶された前記受信方向保護情報に基づいて前記最適受信方向の更新が禁止されているチャンネルについて、前記スキャン手段による前記最適受信方向の更新を禁止する受信方向更新禁止手段とを備えたことを特徴とする。
【０００７】
請求項２の発明は、予め定められている複数の受信方向を有する多指向性アンテナが接続され、前記複数の受信方向のうちのいずれか１つの受信方向のみを有効にして、放送局から各チャンネルで配信されるテレビジョン放送信号を受信するテレビジョン放送信号受信装置において、前記多指向性アンテナが接続され、テレビジョン放送信号の受信を行う受信手段と、前記受信手段に対して選局するチャンネルを指示するためのチャンネル制御信号を出力すると共に、前記多指向性アンテナに対してテレビジョン放送信号を受信する際の受信方向を指示するための受信方向制御信号を出力することによりテレビジョン放送信号の受信動作を制御する受信制御手段と、放送局から配信される各チャンネルのチャンネル番号、これら各チャンネルを受信する際の前記多指向性アンテナの最適受信方向、及びこれら各チャンネルについて前記最適受信方向の更新が禁止されているか否かを示す受信方向保護情報を含み、ユーザによって指定されたチャンネルを選局する際に利用されるチャンネル情報テーブルを記憶するチャンネル情報テーブル記憶手段と、前記放送局から配信される任意の１チャンネルについて、前記受信制御手段により前記多指向性アンテナの全ての受信方向を順次指示して、前記受信手段によりテレビジョン放送信号を受信することにより、受信したテレビジョン放送信号の受信レベルに基づいて前記最適受信方向を決定し、前記チャンネル情報テーブルの内容を更新するスキャン手段と、前記チャンネル情報テーブルに記憶された前記受信方向保護情報に基づいて前記最適受信方向の更新が禁止されているチャンネルについて、前記スキャン手段による前記最適受信方向の更新を禁止する受信方向更新禁止手段とを備えたことを特徴とする。
【０００８】
請求項３の発明は、請求項２に記載の発明において、任意のチャンネルについて、前記受信方向保護情報をユーザに設定させるための保護情報設定手段を備えたことを特徴とする。
【発明の効果】
【０００９】
請求項１の発明によれば、受信方向更新禁止手段は、チャンネル情報テーブルに記憶されている受信方向保護情報に基づいて、最適受信方向の更新が禁止されているチャンネルについて、スキャン手段による最適受信方向の更新を禁止するので、最適受信方向の更新が許可されたチャンネルについてのみ最適受信方向の更新を自動的に行って、最適受信方向の更新が禁止されたチャンネルについては、既にチャンネル情報テーブルに記憶されている最適受信方向を保護することができる。また、保護情報設定手段を備えるので、ユーザは、スキャン手段により最適受信方向を更新するチャンネルと、最適受信方向を更新しないチャンネルを任意に設定することができる。
【００１０】
また、受信方向更新禁止手段により、最適受信方向の更新が禁止されているチャンネルについて、スキャン手段による最適受信方向の更新を禁止するので、全域スキャン処理及びノーシグナル時スキャン手段による処理の際にも、最適受信方向の更新が許可されたチャンネルについてのみ最適受信方向の更新がされ、最適受信方向の更新が禁止されたチャンネルについては、既にチャンネル情報テーブルに記憶されている最適受信方向が保護される。
【００１１】
請求項２の発明によれば、受信方向更新禁止手段により、最適受信方向の更新が禁止されているチャンネルについて、スキャン手段による最適受信方向の更新を禁止するので、最適受信方向の更新が許可されたチャンネルについてのみ最適受信方向の更新を行って、最適受信方向の更新が禁止されたチャンネルについては、既にチャンネル情報テーブルに記憶されている最適受信方向を保護することができる。
【００１２】
請求項３の発明によれば、保護情報設定手段を備えるので、ユーザは、スキャン手段により最適受信方向を更新するチャンネルと、最適受信方向を更新しないチャンネルを任意に設定することができる。
【発明を実施するための最良の形態】
【００１３】
以下、本発明の一実施形態に係るテレビジョン（ＴＶ）放送信号受信装置について説明する。ユーザが家庭においてディジタルＴＶ放送信号（以下、単にＴＶ放送信号という）を受信する状況を図１に示す。ディジタルＴＶ放送が行われている地域では、受信したＴＶ放送信号の強度が一定の閾値以上であれば、補正などにより一定の画質の画像が得られる。そのため、図１に示すように、Ａ地域、Ｂ地域、Ｃ地域など複数箇所に点在する放送局から送信されてくるＴＶ放送信号を受信して、ＴＶ番組を視聴することができる。このような状況に対応して、複数の受信方向を有するスマートアンテナと呼ばれる多指向性アンテナが実用化されている。
【００１４】
図２に示されるように、ＴＶ放送信号受信装置１は、スマートアンテナ２に接続され、スマートアンテナ２の有効な受信方向を切り替えることにより、複数箇所に点在する放送局から所定周波数帯域で配信されてくるＴＶ放送信号を受信して各チャンネルのＴＶ放送信号に含まれるＴＶ番組をモニタ装置３に出力する。なお、本実施形態の説明では、ＴＶ番組の放送に使用されている搬送波の周波数帯域である物理チャンネルのことを、単にチャンネルという。
【００１５】
ＴＶ放送信号受信装置１は、スマートアンテナ２に接続されＴＶ放送信号を受信するチューナ（受信手段）１１と、チューナ１１で受信したＴＶ放送信号に対して所定の信号処理を行い、復号化するフロントエンド１２と、ＭＰＥＧ圧縮されていたＴＶ放送信号をデコードするＭＰＥＧデコーダ１３と、デコードされたＴＶ放送信号に所定の表示画像を重畳させるオンスクリーンディスプレイ（ＯＳＤ）部１４と、ユーザによるボタン操作に応じた信号を出力するリモコン１５と、リモコン１５から出力された信号を受信し、制御部１９へ出力するリモコン受信部１６と、チャンネル情報テーブル等を記憶するメモリ（チャンネル情報テーブル記憶手段）１７と、モジュラ端子１８と、不図示のＲＯＭに記憶されているプログラムに基づいて各種処理を実行しＴＶ放送信号受信装置１全体を制御する制御部１９とを備えている。
【００１６】
制御部（受信制御手段）１９は、チューナ１１に対して選局するチャンネルを指示するためのチャンネル制御信号を出力すると共に、スマートアンテナ２に対してＴＶ放送信号を受信する際の受信方向を指示するための受信方向制御信号を出力することによりＴＶ放送信号の受信動作を制御する。また、制御部１９は、後述するスキャン処理、全域スキャン処理、及びノーシグナル時スキャン処理を実行することにより、スキャン手段、全域スキャン手段、及びノーシグナル時スキャン手段として機能する。また、制御部１９は、全域スキャン処理及びノーシグナル時スキャン処理の際に、チャンネル情報テーブルに記憶されている受信方向保護情報に基づいて、最適受信方向の更新が禁止されているチャンネルについて、スキャン処理による最適受信方向の更新を禁止する受信方向更新禁止手段として機能する。また、リモコン１５は、後述する受信方向保護設定処理の際にユーザによって操作され、保護情報設定手段として機能する。
【００１７】
図３に示されるように、メモリ１７に記憶されるチャンネル情報テーブル５０は、放送局から配信される各チャンネルのチャンネル番号５１、これら各チャンネルを受信する際の多指向性アンテナの最適受信方向５２、これら各チャンネルが選局可能なチャンネルとして登録されているか否かを示す登録チャンネル情報５３、及びこれら各チャンネルについて最適受信方向５２の更新が禁止されているか否かを示す受信方向保護情報５４を含んでいる。制御部１９は、この登録チャンネル情報５３に基づいて、選局可能なチャンネルとして登録されているチャンネルについて受信処理を実行し、選局されるチャンネルの最適受信方向５２をメモリ１７から読み出して、この最適受信方向５２を指示する受信方向制御信号をスマートアンテナ２に出力等することにより、受信処理を実行する。
【００１８】
なお、以下においては、あるチャンネルが選局可能なチャンネルとして登録されている状態をＡＤＤフラグがオン状態であると表現し、あるチャンネルが選局不可能なチャンネルとして登録されている状態をＡＤＤフラグがオフ状態であると表現する。また、これら各チャンネルについて最適受信方向５２の更新が禁止されている状態をＬＯＣＫフラグがオン状態であると表現し、最適受信方向５２の更新が許可されている状態をＬＯＣＫフラグがオフ状態であると表現する。図３において、ＡＤＤフラグのオン状態を”○”印で示し、ＡＤＤフラグのオフ状態を無印で示している。また、ＬＯＣＫフラグのオン状態を”○”印で示し、ＬＯＣＫフラグのオフ状態を無印で示している。また、最適受信方向５２の欄に記載されている各数字は、図４におけるスマートアンテナ２の受信方向Ｄ１〜Ｄ１６に対応している（例えば、”２”は受信方向Ｄ２に、”３”は受信方向Ｄ３にそれぞれ対応）。
【００１９】
スマートアンテナ２は、有効な受信方向を機械的又は電子的に切り替えることにより複数の受信方向Ｄ１〜Ｄ１６（図４参照）からＴＶ放送信号を受信するアンテナ部２１と、アンテナ部２１の動作を制御する制御ユニット２２とを備えている。制御ユニット２２は、ＴＶ放送信号受信装置１からの受信方向制御信号に応じて、アンテナ部２１の複数ある受信方向Ｄ１〜Ｄ１６のうち、指示された受信方向のみを有効にする。
【００２０】
次に、上記チャンネル情報テーブル５０を更新等する際に行われるスキャン処理について図５を参照して説明する。スキャン処理が開始されると、制御部１９は、スマートアンテナ２の受信方向Ｄ１〜Ｄ１６の数に応じてカウンタの初期値ｎ（ここでは”１６”）を設定する（＃１）。そして、第ｎ番目の方向を指定する受信方向制御信号をスマートアンテナ２に出力し（＃２）、チューナ１１により所定チャンネルのＴＶ放送信号を受信する（＃３）。ＴＶ放送信号受信装置１は、受信したＴＶ放送信号の受信レベルを測定し、測定結果をメモリ１７に記憶する（＃４）。そして、カウンタを１つ減算し（＃５）、スマートアンテナ２の全ての受信方向についてＴＶ放送信号の受信レベルを測定したか否かを判断する（＃６）。全ての受信方向についてＴＶ放送信号の受信レベルを測定していない場合は（＃６でＮＯ）、ステップ＃２に戻って次の受信方向についてＴＶ放送信号の受信レベルを測定する。全ての受信方向についてＴＶ放送信号の受信レベルの測定が完了すると（＃６でＹＥＳ）、制御部１９は、メモリ１７に記憶されている測定データを読み出し、読み出した全ての受信レベルを比較して（＃７）、受信レベルが最大となる方向を最適受信方向５２として決定し（＃８）、チャンネル情報テーブル５０に登録する（＃９）。更に、この最適受信方向５２の受信レベルが所定値以上か否か判断し（＃１０）、所定値以上であれば（＃１０でＹＥＳ）、チャンネル情報テーブル５０のＡＤＤフラグをオンにして処理を終了する（＃１１）。一方、最適受信方向５２の受信レベルが所定値より小さければ（＃１０でＮＯ）、ＡＤＤフラグをオンにせず（すなわち、ＡＤＤフラグがオフ状態のまま）、処理を終了する。
【００２１】
次に、受信方向保護情報５４をユーザに設定させるための受信方向保護設定処理について図６を参照して説明する。制御部１９は、ユーザが受信方向保護情報５４を設定する際に操作する設定ボタンが押下されたか否か監視し、設定ボタンが押下されると（＃２１でＹＥＳ）、図７に示されるような設定画面３０をモニタ装置３に表示させて（＃２２）、受信方向保護情報５４を変更するチャンネル番号５１の入力を受け付ける（＃２３）。設定画面３０には、チャンネル番号５１に対応して受信方向保護情報５４が表示されており、ユーザは、カーソル３１を操作して、受信方向保護情報５４を変更するチャンネル番号５１を選択する。ユーザによりチャンネル番号５１を選択されると、制御部１９は、ウインドウ３２を表示させて設定の入力を受け付ける（＃２４）。ユーザはカーソル３３を操作して、チャンネルをロックするか（最適受信方向の更新を禁止するか）、或はロックを解除するか（最適受信方向の更新を許可するか）選択する。制御部１９は、入力された設定がチャンネルをロックする設定であるか否か判断し、ユーザによりチャンネルのロックが選択された場合には（＃２５でＹＥＳ）、ＬＯＣＫフラグをオンにして（＃２６）、処理を終了する。一方、ロックの解除が選択された場合には（＃２５でＮＯ）、ＬＯＣＫフラグをオフにして（＃２７）、処理を終了する。
【００２２】
次に、図８を参照して全域スキャン処理について説明する。全域スキャン処理が開始されると、制御部１９は、放送局から配信されるチャンネル数に応じて、カウンタの初期値ｍ、及び最適受信方向５２を決定するチャンネル数ｍｍａｘを設定する（＃６１）。そして、第ｍ番目のチャンネルについてＬＯＣＫフラグがオン状態か否か判断し、第ｍ番目のチャンネルについてＬＯＣＫフラグがオフ状態であれば（＃６２でＮＯ）、第ｍ番目のチャンネルについて、上記スキャン処理を実行することにより、このチャンネルについて最適受信方向５２及び登録チャンネル情報５３を決定し、チャンネル情報テーブル５０に登録する（＃６３）。そして、カウンタを１つ加算し（＃６４）、全てのチャンネルについてステップ＃６２からステップ＃６４までの処理が実行されたか否かを判断する（＃６５）。一方、ＬＯＣＫフラグがオン状態であれば（＃６２でＹＥＳ）、第ｍ番目のチャンネルについて、上記スキャン処理を実行することなく、カウンタを１つ加算し（＃６４）、全てのチャンネルについてステップ＃６２からステップ＃６４までの処理が実行されたか否かを判断する（＃６５）。全てのチャンネルについてステップ＃６２からステップ＃６４までの処理が実行されていない場合は（＃６５でＮＯ）、ステップ＃６２に戻って、ステップ＃６２からステップ＃６４までの処理が繰り返され、全てのチャンネルについてステップ＃６２からステップ＃６４までの処理が終了すると（＃６５でＹＥＳ）、全域スキャン処理を終了する。
【００２３】
次に、ノーシグナル時スキャン処理について、図９を参照して説明する。制御部１９は、ＴＶ放送信号の受信中、受信レベルを監視して受信レベルが所定値以下（以下、このような状態をノーシグナル状態という）になったか否か判断する（＃８１）。そして、受信レベルが所定値以下になると（＃８１でＹＥＳ）、タイムカウントを開始し（＃８２）、ノーシグナル状態が所定時間だけ継続したか否か判断する（＃８３）。そして、ノーシグナル状態が所定時間、継続した場合には（＃８３でＹＥＳ）、受信中のチャンネルについて、ＬＯＣＫフラグがオン状態か否か判断する（＃８４）。ＬＯＣＫフラグがオフ状態であれば（＃８４でＮＯ）、スキャン処理を実行して、このチャンネルについて最適受信方向５２を更新し（＃８５）、処理を終了する。一方、ＬＯＣＫフラグがオン状態であれば（＃８４でＹＥＳ）、スキャン処理を実行せずに処理を終了する。
【００２４】
このように、本実施形態のＴＶ放送信号受信装置１によれば、制御部１９は、チャンネル情報テーブル５０に記憶されている受信方向保護情報５４に基づいて、最適受信方向５２の更新が禁止されているチャンネルについて、スキャン処理による最適受信方向５２の更新を禁止するので、例えば、上記全域スキャン処理又はノーシグナル時スキャン処理の際に、最適受信方向５２の更新が許可されたチャンネルについてのみ最適受信方向５２の更新を自動的に行って、最適受信方向５２の更新が禁止されたチャンネルについては、既にチャンネル情報テーブル５０に記憶されている最適受信方向５２を保護することができる。また、ユーザは、受信方向保護設定処理の際にリモコン１５を操作して、スキャン処理により最適受信方向５２を更新するチャンネルと、最適受信方向５２を更新しないチャンネルを任意に設定することができる。
【００２５】
なお、本発明は上記実施形態の構成に限られることなく種々の変形が可能である。例えば、ＴＶ放送信号受信装置１が受信できるＴＶ放送信号は、ディジタルテレビジョン放送信号に限られずアナログテレビジョン放送信号であってもよい。また、スマートアンテナ２の受信方向数は、上記実施形態で例示した１６方向に限られず、４方向や８方向など、その他の数であってもよい。また、受信方向保護情報５４に基づいて最適受信方向５２の更新が禁止される処理は、上記全域スキャン処理、及びノーシグナル時スキャン処理におけるスキャン処理に限られず、処理中にスキャン処理が行われるものであれば、本発明を適用することが可能である。また、受信方向保護情報５４は、必ずしもユーザによって設定される必要はなく、例えば、ＥＰＧ（Electric  Program  Guide）等に基づいてＴＶ番組の放送が終了していると判断されるチャンネルについては、自動的に最適受信方向５２の更新を禁止するなどしてもよい。
【図面の簡単な説明】
【００２６】
【図１】ユーザが家庭においてＴＶ放送信号を受信する状況を示す概念図。
【図２】本発明の一実施形態に係るＴＶ放送信号受信装置の構成を示すブロック図。
【図３】同受信装置のメモリに記憶されるチャンネル情報テーブルを示す図。
【図４】同受信装置に接続されるスマートアンテナの受信方向の説明図。
【図５】同受信装置によるスキャン処理を示すフローチャート。
【図６】同受信装置による受信方向保護設定処理を示すフローチャート。
【図７】同受信方向保護設定処理時のモニタ画面を示す図。
【図８】同受信装置による全域スキャン処理を示すフローチャート。
【図９】同受信装置によるノーシグナル時スキャン処理を示すフローチャート。
【符号の説明】
【００２７】
１  テレビジョン放送信号受信装置
２  スマートアンテナ（多指向性アンテナ）
３  モニタ装置
１１  チューナ
１２  フロントエンド
１３  ＭＰＥＧデコーダ
１４  オンスクリーンディスプレイ部
１５  リモコン
１６  リモコン受信部
１７  メモリ
１８  モジュラ端子
１９  制御部
２１  アンテナ部
２２  制御ユニット
【図１】
2006067206.tif 000003
【図２】
2006067206.tif 000004
【図３】
2006067206.tif 000005
【図４】
2006067206.tif 000006
【図５】
2006067206.tif 000007
【図６】
2006067206.tif 000008
【図７】
2006067206.tif 000009
【図８】
2006067206.tif 000010
【図９】
2006067206.tif 000011